(57)【要約】      （修正有）【課題】照明装置を着脱自在にミラーユニットに取り付ける取付手段により、自由に照明装置の配置を変更できる技術を提供する。【解決手段】化粧鏡ユニット３は、前面に鏡面を有する鏡と、少なくとも１つの送電部１４と、を含むミラーユニット１０と、光源ユニットと、送電部１４から受電して前記光源ユニットに電力を供給するための受電部と、を含む照明装置１２と、照明装置１２を着脱自在に前記ミラーユニットに取り付ける取付手段１６と、を備える。【選択図】図３
2019213773.tif 000002
【特許請求の範囲】
【請求項１】
前面に鏡面を有する鏡と、送電部と、を含むミラーユニットと、
光源ユニットと、前記送電部から受電して前記光源ユニットに電力を供給するための受電部と、を含む照明装置と、
前記照明装置を着脱自在に前記ミラーユニットに取り付ける取付手段と、
を備えることを特徴とする化粧鏡ユニット。
【請求項２】
前記送電部および前記受電部は、非接触で送受電するよう構成されていることを特徴とする請求項１に記載の化粧鏡ユニット。
【請求項３】
前記ミラーユニットは、内部に収納空間を有する収納棚をさらに備え、
前記鏡は、前記収納棚の収納空間を開閉可能に覆うように前記収納棚に取り付けられ、
前記取付手段は、前記収納棚の正面側であって前記鏡が前記収納空間を閉じた位置にあるときに前記鏡と隣り合わせとなる位置に前記照明装置を着脱自在に取り付けることを特徴とする請求項１または２に記載の化粧鏡ユニット。
【請求項４】
前記送電部は前記鏡の裏面に保持され、
前記取付手段は、前記照明装置を前記鏡面に着脱自在に取り付けることを特徴とする請求項２に記載の化粧鏡ユニット。
【請求項５】
前記ミラーユニットは、前記送電部とは別の送電部をさらに備え、
前記取付手段は、前記受電部が前記送電部または前記別の送電部に対応する個別の位置に、前記照明装置を取り付け可能であることを特徴とする請求項１から４のいずれかに記載の化粧鏡ユニット。
【発明の詳細な説明】
【技術分野】
【０００１】
本発明は、化粧鏡ユニットに関する。
【背景技術】
【０００２】
特許文献１は、ミラーキャビネット本体の前部に左右方向に延伸される支持部を備え、照明装置が支持部にガイドされて左右方向に移動自在であるミラーキャビネットを開示する。
【先行技術文献】
【特許文献】
【０００３】
【特許文献１】特開２０１３−２５５６８８号公報
【発明の概要】
【発明が解決しようとする課題】
【０００４】
特許文献１に記載された技術では、照明装置を、その姿勢を維持したまま支持部に沿って左右方向に移動させることしかできない。本発明者らは、より自由に照明装置の配置を変更できる技術を模索し、本発明に想到した。
【０００５】
本発明はこうした状況に鑑みてなされたものであり、その目的は、より自由に照明装置の配置を変更できる技術を提供することにある。
【課題を解決するための手段】
【０００６】
上記課題を解決するために、本発明のある態様の化粧鏡ユニットは、前面に鏡面を有する鏡と、少なくとも１つの送電部と、を含むミラーユニットと、光源と、送電部から受電して光源に電力を供給するための受電部と、を含む照明装置と、照明装置を着脱自在にミラーユニットに取り付ける取付手段と、を備える。
【発明の効果】
【０００７】
本発明によれば、より自由に照明装置の配置を変更できる技術を提供できる。
【図面の簡単な説明】
【０００８】
【図１】実施の形態に係る化粧鏡ユニットを備える洗面化粧台の正面図である。
【図２】図２（ａ）、（ｂ）は、図１の化粧鏡ユニットの照明装置を示す図である。
【図３】図３（ａ）〜（ｃ）は、図１の化粧鏡ユニットを模式的に示す正面図である。
【図４】図１の化粧鏡ユニットの制御系を示すブロック図である。
【図５】変形例に係る照明装置の斜視図である。
【図６】変形例に係る化粧鏡ユニットを模式的に示す正面図である。
【図７】別の変形例に係る化粧鏡ユニットの正面図である。
【図８】さらに別の変形例に係る化粧鏡ユニットの制御系を示すブロック図である。
【図９】さらに別の変形例に係る化粧鏡ユニットの制御系を示すブロック図である。
【図１０】さらに別の変形例に係る化粧鏡ユニットを模式的に示す正面図である。
【図１１】図１０の化粧鏡ユニットの制御系を示すブロック図である。
【図１２】さらに別の変形例に係る化粧鏡ユニットの制御系を示すブロック図である。
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また、本明細書において、「上」、「下」、「左」、「右」はそれぞれ、化粧鏡ユニットを利用するユーザから見た上、下、左、右をいう。また、「前」、「後」はそれぞれ、ユーザから見て手前側、奥側をいう。
【００１０】
図１は、実施の形態に係る化粧鏡ユニットを備える洗面化粧台１の正面図である。洗面化粧台１は、洗面台ユニット２と、化粧鏡ユニット３と、を備える。洗面台ユニット２は、吐水装置６と、吐水装置６からの水を受ける洗面ボウルと、洗面用具や化粧品を収納するキャビネットと、を備える。
【００１１】
化粧鏡ユニット３は、ミラーユニット１０と、後述するようにミラーユニット１０に着脱自在に取り付けられる、少なくとも１つ（図示の例では５つ）の照明装置１２と、を備える。ミラーユニット１０は、洗面台ユニット２の上側に配設される。本実施の形態のミラーユニット１０は、ミラーキャビネットであり、前方側に開口した収納空間を有する収納棚１８と、収納棚１８の収納空間を開閉可能に覆う左鏡１９ａ、中央鏡１９ｂ、右鏡１９ｃ（以下、特に区別しない場合には、「開閉鏡１９」と呼ぶ）と、を含む。各開閉鏡１９は、前面に鏡面を有し、強度を高めるために裏面に補強板が貼り付けられてもよい。各開閉鏡１９は、幅方向の一方の端部で、収納棚１８に対して回転可能に支持される。この例では、左鏡１９ａが幅方向右側の端部で、中央鏡１９ｂが幅方向右側の端部で、右鏡１９ｃが幅方向左側の端部で、それぞれ収納棚１８に対して回動可能に支持されている。
【００１２】
図２（ａ）、（ｂ）は、照明装置１２を示す。図２（ａ）は、照明装置１２を正面側から見た斜視図であり、図２（ｂ）は、照明装置１２の背面図である。図３（ａ）〜（ｃ）は、化粧鏡ユニット３を模式的に示す正面図である。図３（ａ）は、照明装置１２を取り外した状態を示し、図３（ｂ）、（ｃ）は、照明装置１２を取り付けた状態を示す。なお、図３（ｂ）と図３（ｃ）とでは、照明装置１２の配置を変更している。
【００１３】
照明装置１２は、光源ユニット２０と、送電部１４（後述）から受電して光源ユニット２０に電力を供給するための受電部２２と、を含む。光源ユニット２０は、不図示の基板と、基板に実装される少なくとも１つ（図示の例では複数）の光源２０ａと、を含む。光源２０ａは、例えばＬＥＤである。
【００１４】
化粧鏡ユニット３は、少なくとも１つの送電部１４と、照明装置１２を着脱自在にミラーユニット１０に取り付ける取付手段１６と、をさらに含む。送電部１４は、収納棚１８に保持される。図示の例では、収納棚１８の天板１８ａの前端面に３つ、底板１８ｂの前端面に３つ、各仕切り板１８ｃの前端面に２つ、の計１０個の送電部１４が埋め込まれている。なお、送電部１４の数および配置は特に限定されず、例えば、収納棚１８の天板１８ａ、底板１８ｂおよび各仕切り板１８ｃの各前端面に、実質的に隙間なく送電部１４が埋め込まれてもよい。
【００１５】
取付手段１６は、図３で網掛けで示した、収納棚１８側に設けられる第１磁石２４と、図２で網掛けで示した、照明装置１２側に設けられる第２磁石３２とで構成される。第１磁石２４は、収納棚１８の正面側であって、各開閉鏡１９が収納空間を閉じた位置にあるときに各開閉鏡１９と隣り合わせとなる位置に設けられる。図示の例では、第１磁石２４は、開閉鏡１９の上側、開閉鏡１９の下側、および開閉鏡１９と開閉鏡１９の間、に配置される。第２磁石３２は、照明装置１２の背面側に設けられる。第１磁石２４と第２磁石３２が引き合うことで、照明装置１２はミラーユニット１０の収納棚１８に取り付けられる。受電部２２と送電部１４とが対向するように照明装置１２がミラーユニット１０に取り付けられると、送電部１４と受電部２２との間で送受電可能な状態となる。
【００１６】
なお変形例として、取付手段１６は、収納棚１８側および照明装置１２側の一方に設けられる磁石と他方に設けられる強磁性体（例えば鉄）とで構成されてもよい。つまり、取付手段１６は、収納棚１８側に設けられる第１磁石２４と照明装置１２側に設けられる強磁性体とで構成されてもよく、収納棚１８側に設けられる強磁性体と照明装置１２側に設けられる第２磁石３２とで構成されてもよい。
【００１７】
照明装置１２は、取付手段１６により、着脱自在にミラーユニット１０に取り付けられるため、使用者は用途に合わせて照明装置１２の配置を自由に変更できる。図３（ｂ）の例では、照明装置１２を中央鏡１９ｂの上側と左右両側に配置し、図３（ｃ）の例では、照明装置１２を中央鏡１９ｂの下側と左右両側に配置している。つまり、照明装置１２のひとつが、取付手段１６により、図３（ｂ）の例ではその受電部２２が中央鏡１９ｂの上側の送電部１４に対応（すなわち対向）するよう位置に取り付けられ、図３（ｃ）の例ではその受電部２２が中央鏡１９ｂの下側の送電部１４に対応する位置に取り付けられている。例えば、髪型を整えるときは図３（ｂ）のように照明装置１２を配置し、男性が髭を剃るときには図３（ｃ）のように照明装置１２を配置してもよい。また、照明装置１２の数も自由に変更できる。例えば、中央鏡１９ｂの左右両側にのみ照明装置１２を配置し、中央鏡１９ｂの左右両側に加えて中央鏡１９ｂの上側にも照明装置１２を配置してもよい。
【００１８】
図４は、化粧鏡ユニット３の制御系を示すブロック図である。化粧鏡ユニット３は、収納棚１８側に設けられる電源１５と入力部２６をさらに備える。電源１５は、商用電源からの交流電力を直流電力に変換して各送電部１４および入力部２６に供給する。入力部２６は、物理スイッチ（例えばプッシュスイッチ）や非接触センサであり、照明装置１２に対する点消灯指示を入力可能に構成される。入力部２６は、入力された点消灯指示を各送電部１４に出力する。送電部１４は、点灯指示が入力されると送電し、消灯指示が入力されると送電を停止する。受電部２２は、送電部１４から受電して、光源ユニット２０に電力を供給する。本実施の形態では、送電部１４および受電部２２は、例えば電磁誘導方式や共鳴方式などの方式により、非接触で送受電するよう構成されている。なお、送電部１４および受電部２２は、接触して送受電するよう構成されても、すなわち電気的に接続される端子であってもよい。
【００１９】
以上のように、実施の形態に係る化粧鏡ユニット３によれば、使用者の用途に合わせて照明装置１２の配置を自由に変更できる。
【００２０】
以上、実施の形態に係る化粧鏡ユニットについて説明した。この実施の形態は例示であり、各構成要素の組み合わせにいろいろな変形例が可能なこと、またそうした変形例も本発明の範囲にあることは当業者に理解されるところである。
【００２１】
（変形例１）
実施の形態では、取付手段１６が磁石で構成される場合について説明したが、これには限定されず、取付手段１６は照明装置１２をミラーユニット１０に取り付け可能に構成されていればよい。
【００２２】
図５は、変形例に係る照明装置１２を背面側から見た斜視図である。図６は、変形例に係る化粧鏡ユニット３を模式的に示す正面図である。本変形例では、取付手段１６は、収納棚１８側に設けられる掛止穴１２４と、照明装置１２側に設けられる掛止フック１３２とで構成される。掛止穴１２４は、収納棚１８の正面側であって、各開閉鏡１９が収納空間を閉じた位置にあるときに各開閉鏡１９と隣り合わせとなる位置に設けられる。図示の例では、掛止穴１２４は、開閉鏡１９の上側および開閉鏡１９の下側に設けられる。掛止フック１３２は、照明装置１２の背面側に設けられる。掛止フック１３２を掛止穴１２４に挿入して照明装置１２を収納棚１８に掛けることで、照明装置１２はミラーユニット１０の収納棚１８に取り付けられる。
【００２３】
（変形例２）
実施の形態では、照明装置１２が収納棚１８に着脱自在に取り付けられ、収納棚１８に配置された送電部１４から照明装置１２の受電部２２に電力が供給される場合について説明したが、これには限定されず、例えば照明装置１２は鏡面に着脱自在に取り付けられ、鏡面の裏面に保持された送電部１４から照明装置１２の受電部２２に電力が供給されてもよい。
【００２４】
図７は、別の変形例に係る化粧鏡ユニット３の正面図である。本変形例に係る化粧鏡ユニット３は、収納棚を有さず、鏡１９０は壁面に直接固定されている。なお化粧鏡ユニット３は、実施の形態と同様に収納棚を有し、収納棚に鏡１９０が取り付けられてもよい。本変形例では、送電部１４は、鏡１９０の裏面（後面）に保持される。なお、送電部１４の数および配置は特に限定されず、例えば、鏡１９０の裏面にマトリクス状に実質的に隙間なく配置されてもよい。また、取付手段１６は、照明装置１２を鏡１９０の鏡面に着脱自在に取り付けるように構成される。具体的には、第１磁石（不図示）が鏡１９０の裏面に保持され、当該第１磁石と照明装置１２の背面に保持される第２磁石３２とが引き合うことで、照明装置１２は鏡１９０の鏡面に着脱自在に取り付けられる。本変形例によれば、実施の形態に係る化粧鏡ユニット３と同様の効果を奏することができる。
【００２５】
（変形例３）
図８は、さらに別の変形例に係る化粧鏡ユニットの制御系を示すブロック図である。図８は図４に対応する。図４との違いに焦点を当てる。入力部２６は、照明装置１２に対する点消灯指示に加えて、調光指示や調色指示などの調節指示も入力可能に構成される。入力部２６は、入力された点消灯指示や調節指示を各送電部１４に入力する。送電部１４および受電部２２は、送受電に加えて、調節指示を含む制御信号を送受信可能に構成される。受電部２２は、送電部１４から制御信号を受信すると、制御信号に含まれる調節指示にしたがって光源ユニット２０を制御する。
【００２６】
（変形例４）
図９は、さらに別の変形例に係る化粧鏡ユニットの制御系を示すブロック図である。図９は図８に対応する。図８との違いに焦点を当てる。ミラーユニット１０は、図示の例では送電部１４と同数の信号送信部１３をさらに備える。各照明装置１２は、信号受信部２３をさらに備える。入力部２６は、点消灯指示は送電部１４に出力し、調節指示は信号送信部１３に出力する。信号送信部１３は、調節指示が入力されると、調節指示を含む制御信号を送信する。信号受信部２３は、対応（例えば対向）する信号送信部１３から制御信号を受信して、制御信号に含まれる調節指示を受電部２２に入力する。つまり本変形例では、変形例３とは異なり、送電とは別のルートで制御信号が送受信される。信号送信部１３および信号受信部２３は、例えば電磁誘導方式や共鳴方式などの方式により、非接触で制御信号を送受信するよう構成されてもよく、接触して送受電するよう構成されてもよい。
【００２７】
（変形例５）
図１０は、さらに別の変形例に係る化粧鏡ユニット３を模式的に示す正面図である。図１０は、図７に対応する。化粧鏡ユニット３は、収納棚１８側に設けられる入力装置４０をさらに備える。入力装置４０の裏面に磁石（不図示）が設けられ、当該磁石と鏡１９０の裏面に配置された磁石とが引き合うことで、入力装置４０がミラーユニット１０の鏡１９０の鏡面に取り付けられる。なお、これら磁石の一方が強磁性体であってもよい。
【００２８】
図１１は、本変形例に係る化粧鏡ユニット３の制御系を示すブロック図である。入力装置４０は、入力部２６と、信号送信部４２と、受電部４４と、を含む。ミラーユニット１０は、信号受信部１７をさらに備える。受電部４４は、送電部１４から受電して、入力部２６に電力を供給する。入力部２６は、ユーザの操作に応じた点消灯指示や制御指示を信号送信部４２に出力する。信号送信部４２は、点消灯指示や調節指示が入力されると、点消灯指示や調節指示を含む制御信号を送信する。信号受信部１７は、対応（例えば対向）する信号送信部４２から送信された制御信号を受信する。なお、信号送信部４２および信号受信部１７は、例えば電磁誘導方式や共鳴方式などの方式により、非接触で制御信号を送受信するよう構成されてもよく、接触して送受電するよう構成されてもよい。信号受信部１７は、制御信号を受信すると、入力装置４０の受電部４４と送受電している送電部１４以外の送電部１４に制御信号を送信する。制御信号が入力された送電部１４は、照明装置１２の受電部２２に送電するとともに制御信号を送信する。本変形例によれば、入力部２６の配置の自由度も向上させることができる。
【００２９】
（変形例６）
図１２は、さらに別の変形例に係る化粧鏡ユニット３の制御系を示すブロック図である。図１２は図４に対応する。図４との違いに焦点を当てる。本変形例では、照明装置１２側に入力部２６が設けられる。入力部２６には、受電部２２から電力が供給される。
【００３０】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００３１】
以上の実施の形態および変形例により具体化される発明を一般化すると、以下の技術的思想が導かれる。
本発明のある態様の化粧鏡ユニットは、前面に鏡面を有する鏡と、少なくとも１つの送電部と、を含むミラーユニットと、光源と、送電部から受電して光源に電力を供給するための受電部と、を含む照明装置と、照明装置を着脱自在にミラーユニットに取り付ける取付手段と、を備える。この態様によると、使用者の用途に合わせて照明装置の配置を自由に変更できる。
【００３２】
少なくともひとつの送電部および受電部は、非接触で送受電するよう構成されていてもよい。
【００３３】
ミラーユニットは、内部に収納空間を有する収納棚をさらに備えてもよい。鏡は、収納棚の収納空間を開閉可能に覆うように収納棚に取り付けられ、取付手段は、収納棚の正面側であって鏡が収納空間を閉じた位置にあるときに鏡と隣り合わせとなる位置に照明装置を着脱自在に取り付ける。
【００３４】
少なくともひとつの送電部は鏡の裏面に保持され、取付手段は、照明装置を鏡面に着脱自在に取り付ける。
【符号の説明】
【００３５】
１  洗面化粧台、  ３  化粧鏡ユニット、  １０  ミラーユニット、  １２  照明装置、  １４  送電部、  １６  取付手段、  ２０  光源ユニット、  ２２  受電部。
【図１】
2019213773.tif 000003
【図２】
2019213773.tif 000004
【図３】
2019213773.tif 000005
【図４】
2019213773.tif 000006
【図５】
2019213773.tif 000007
【図６】
2019213773.tif 000008
【図７】
2019213773.tif 000009
【図８】
2019213773.tif 000010
【図９】
2019213773.tif 000011
【図１０】
2019213773.tif 000012
【図１１】
2019213773.tif 000013
【図１２】
2019213773.tif 000014